(57)【特許請求の範囲】
【請求項１】
後方に位置する後方枠体と、該後方枠体の前方に位置する前方枠体とを有して、遊技媒体を用いた遊技を実現する遊技装置体を保持し、
前記両枠体の一側端近傍において軸支され、他側端近傍が揺動開閉可能とされた遊技機枠であって、
前記後方枠体又は前記前方枠体の一方に、前後方向に進退する検出片と開閉センサとを有して前記両枠体の開閉を検出する開閉センサ部が設けられ、
前記後方枠体又は前記前方枠体の他方に、前記両枠体の閉鎖時に前記検出片を退避方向に押し込む当接片を有する当接部が設けられ、
前記両枠体の閉鎖時に前記当接片が前記検出片を退避方向に押し込むことにより、前記開閉センサによって前記両枠体の閉鎖が検出されるようになっており、
前記開閉センサ部には、進出時における前記検出片の高さ以上の高さでその周囲を囲む検出片保護壁が設けられ、
前記当接部には、前記当接片の周囲を囲む当接片保護壁が設けられ、
前記両枠体の閉鎖時において、前記検出片保護壁と前記当接片保護壁とが入れ子状となるように構成されている遊技機枠、及び、
前記遊技装置体を有する遊技機であって、
前記開閉センサ部には、前記当接片保護壁の先端部に対向するセンサ側対向面が形成され、
前記当接片保護壁の先端部又は前記センサ側対向面の一方に凸部が設けられ、
前記当接片保護壁の先端部又は前記センサ側対向面の他方に凹部が設けられ、
前記両枠体の閉鎖時において、前記凸部が前記凹部に挿入されるように構成されている、遊技機。
【請求項２】
前記センサ側対向面又は前記当接側対向面の少なくともいずれか一方に、前記両枠体の開閉を検出する補助開閉センサが設けられている、請求項１に記載の遊技機。
【請求項３】
前記検出片が、先細りとなる略円錐形状又は略多角錐形状である、請求項１又は請求項２に記載の遊技機。
【発明の詳細な説明】
【技術分野】
【０００１】
遊技機枠及び遊技機に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
パチンコ機、パチスロ機等を含む遊技機は、遊技装置体としての遊技盤やリール（回胴装置）を保持するために遊技機枠を有している。遊技機枠は、内部のメンテナンス等のために開閉可能とされているが、遊技者等による不正開放を防止するために、施錠装置によって閉鎖施錠されることが多い。更に、不正開放を検出するための開閉センサが設けられることもある（例えば、特許文献１を参照。）。
【先行技術文献】
【特許文献】
【０００４】
【特許文献１】特開２０１０−１４８９０９号公報
【発明の概要】
【発明が解決しようとする課題】
【０００５】
しかしながら、この開閉センサに対する不正行為が行われることもある。すなわち、遊技機枠を不正に開放している状態であるにも拘わらず、閉鎖状態であるかのようなセンサ信号を出力させる不正行為が行われることもある。したがって、開閉センサ近傍における不正対策を図って、開閉センサに対する不正行為が行われないよう、又は、不正行為が行われ難いようにすることが要望されている。
【０００６】
本願発明は、上記事情に鑑みたもので、遊技機枠の開閉センサ近傍における不正対策を強化し、開閉センサに対する不正行為を一層強固に防止し得る遊技機枠及び遊技機を提供することを例示的課題とする。
【課題を解決するための手段】
【０００７】
上記の課題を解決するために、本発明の例示的側面としての遊技機枠は、後方に位置する後方枠体と、後方枠体の前方に位置する前方枠体とを有して、遊技媒体を用いた遊技を実現する遊技装置体を保持し、両枠体の一側端近傍において軸支され、他側端近傍が揺動開閉可能とされた遊技機枠であって、後方枠体又は前方枠体の一方に、前後方向に進退する検出片と開閉センサとを有して両枠体の開閉を検出する開閉センサ部が設けられ、後方枠体又は前方枠体の他方に、両枠体の閉鎖時に検出片を退避方向に押し込む当接片を有する当接部が設けられ、両枠体の閉鎖時に当接片が検出片を退避方向に押し込むことにより、開閉センサによって両枠体の閉鎖が検出されるようになっており、開閉センサ部には、進出時における検出片の高さ以上の高さでその周囲を囲む検出片保護壁が設けられ、当接部には、当接片の周囲を囲む当接片保護壁が設けられ、両枠体の閉鎖時において、検出片保護壁と当接片保護壁とが入れ子状となるように構成されている。
【０００８】
本発明の他の例示的側面としての遊技機は、後方に位置する後方枠体と、後方枠体の前方に位置する前方枠体とを有して、遊技媒体を用いた遊技を実現する遊技装置体を保持し、両枠体の一側端近傍において軸支され、他側端近傍が揺動開閉可能とされた遊技機枠であって、後方枠体又は前方枠体の一方に、前後方向に進退する検出片と開閉センサとを有して両枠体の開閉を検出する開閉センサ部が設けられ、後方枠体又は前方枠体の他方に、両枠体の閉鎖時に検出片を退避方向に押し込む当接片を有する当接部が設けられ、両枠体の閉鎖時に当接片が検出片を退避方向に押し込むことにより、開閉センサによって両枠体の閉鎖が検出されるようになっており、開閉センサ部には、進出時における検出片の高さ以上の高さでその周囲を囲む検出片保護壁が設けられ、当接部には、当接片の周囲を囲む当接片保護壁が設けられ、両枠体の閉鎖時において、検出片保護壁と当接片保護壁とが入れ子状となるように構成されている遊技機枠と、遊技装置体と、を有する。
【０００９】
本発明の更なる目的又はその他の特徴は、以下添付図面を参照して説明される好ましい実施の形態によって明らかにされるであろう。
【発明の効果】
【００１０】
本発明によれば、遊技機枠の開閉センサ近傍における不正対策を強化し、開閉センサに対する不正行為を一層強固に防止することができる。
【図面の簡単な説明】
【００１１】
【図１】実施の形態１に係るパチンコ機の正面図である。
【図２】図１に示すパチンコ機の背面図である。
【図３】図１に示すパチンコ機の外観斜視図である。
【図４】右側端側において、外枠に対して前枠が前方に開放した状態を模式的に示す模式図である。
【図５】開閉センサ部及び当接部の周囲を拡大して示す要部拡大図である。
【図６】検出片の変形例を示す図である。
【図７】当接片保護壁と検出片保護壁と当接片とで構成されるクランク状の侵入通路を示す図である。
【図８】実施の形態２に係る開閉センサ部及び当接部の周囲を拡大して示す要部拡大図である。
【図９】実施の形態３に係る開閉センサ部及び当接部の周囲を拡大して示す要部拡大図である。
【図１０】実施の形態４に係る開閉センサ部及び当接部の周囲を拡大して示す要部拡大図である。
【図１１】実施の形態５に係るパチスロ機の正面図である。
【図１２】図１１に示すパチスロ機の外観斜視図である。
【図１３】図１１に示すパチスロ機の遊技機枠を開放状態とした場合を示す図である。
【図１４】図１３の要部を拡大した要部拡大図であって、（ａ）は外枠の右側端近傍を示し、（ｂ）は前枠の右側端近傍を示している。
【実施するための形態】
【００１２】
［実施の形態１］
以下、本発明の実施の形態１について図面を用いて説明する。図１は、本発明の実施の形態１に係る遊技機枠３を有する遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿（貯留皿）１４を有している。発射ユニットは、遊技盤ユニット５に構成される遊技領域１６に向けて１球ずつ遊技球（遊技媒体）２３が発射可能とされている。
【００１３】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチスロ機、スロットマシン、コインゲーム機等のアーケードマシン、各種ゲーム機を概念することができ、要するに、遊技媒体を用いた遊技を実現する種々の遊技機が含まれる。なお、本実施の形態１においては、遊技機としてパチンコ機を例として説明するので、後述する遊技盤６が遊技装置体に相当するが、例えば、遊技機がパチスロ機やスロットマシンである場合には、リール（回胴装置）が遊技装置体に相当する。
【００１４】
また、遊技機がパチンコ機である場合には、遊技媒体は遊技球（パチンコ球）であるが、遊技媒体としては、遊技球に限定されない。遊技機の種類によっては、例えば、コイン、メダル、ボール等種々の遊技媒体を概念することができる。
【００１５】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。なお、図柄変動遊技については後述する。
【００１６】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。部材やユニット等の詳細部分については、個別に別方向の名称を用いる場合もある。
【００１７】
また、遊技球２３が遊技領域１６を流下する場合、原則として流下方向（下方）が下流側であり、逆方向（上方）が上流側となるが、下流、上流の概念は上下に限定されず、あくまで遊技球の流下する方向を下流側と定義する。
【００１８】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００１９】
パチンコ機２の周囲を囲む外枠４、その内側にヒンジ（軸支部）２２によって前方に揺動開閉可能に軸支されて遊技盤ユニット５を保持する前枠９、前枠９の前方にヒンジ２２によって前方に揺動開閉可能に軸支されガラス１０及びその周囲を装飾する装飾部材３２を保持するガラス枠１２、を有して遊技機枠３が構成される。なお、ガラス１０は、遊技機枠３内部側に保持された遊技盤（遊技装置体）６を前方から遊技者が視認することができるようにするための透明部材である。
【００２０】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００２１】
球皿１４は、遊技者の持ち球を貯留するためにパチンコ機２の前面に配置された皿部材であって、本実施の形態１においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００２２】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２３】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００２４】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態１においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００２５】
遊技釘２７は、遊技領域１６を流下する遊技球２３と衝突してその流下方向を変更させる流下変更部材であり、遊技領域１６内に多数配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００２６】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００２７】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００２８】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００２９】
図２に示すように遊技盤６の裏面側には、パチンコ機２の全体の制御を行う電子回路基板としての主制御基板（図示せず）を内包する主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００３０】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００３１】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００３２】
続いて、この実施の形態１に係る遊技機枠３について詳細に説明する。図３は、このパチンコ機２の外観斜視図である。パチンコ機２においては、正面視左側端（一側端）Ｌ近傍において外枠４と前枠９とがヒンジ２２によって軸支されている。図３においては、ヒンジ２２と反対側、すなわち正面視右側端（他側端）Ｒ側から見ている。図４は、この右側端Ｒ側において、外枠４に対して前枠９が前方に開放した状態を模式的に示す模式図である。なお、本実施の形態１においては、外枠４を後方枠体とし、前枠９を前方枠体として説明するが、もちろん、前枠９が後方枠体であってガラス枠１２が前方枠体であってもよい。
【００３３】
外枠４の右端部Ｒ近傍には、開閉センサ部４１が設けられている。そして、前枠９の右側端Ｒ近傍には、当接部５１が設けられている。開閉センサ部４１と当接部５１とは、互いに対応する位置に配置されている。
【００３４】
図５は、開閉センサ部４１及び当接部５１の周囲を拡大して示す要部拡大図である。図５においては、開閉センサ部４１及び当接部５１を一部断面図として示している。開閉センサ部４１は、検出片４２と開閉センサ４３とを有している。この検出片４２は前後進退可能に構成されており、後方への退避状態で開閉センサ４３に閉鎖状態を示すオン信号を出力させ、前方への進出状態（突出状態）で開閉センサ４３に開放状態を示すオフ信号を出力させる。
【００３５】
検出片４２は図示しないバネ等の付勢手段により常時前方へ進出するように付勢されており、外枠４に対して前枠９が前方開放すると、自動的に前方に進出して開閉センサ４３にオフ信号を出力させる。外枠４に対して前枠９が閉鎖されると、検出片４２は後述する当接片５２によって後方へと退避させられ、開閉センサ４３にオン信号を出力させる。なお、開閉センサ４３には、検出片４２の動作によってスイッチのオン・オフを切り替えるマイクロスイッチ、検出片４２の動作によって遮光・透光を検出する光学センサ等を用いることができる。
【００３６】
開閉センサ部４１においては、検出片４２の周囲を囲むように検出片保護壁４４が立設されている。検出片保護壁４４は、外枠４と前枠９との隙間等からピアノ線等の不正具を挿入して検出片４２にアクセスするのを防止するためのものである。したがって、検出片保護壁４４の高さ（すなわち、進退方向寸法）は、実質的に進出時における検出片４２の高さ以上とされている。
【００３７】
検出片４２は、典型的には、進退方向に延びる円柱形状である。また、検出片保護壁４４は、典型的には検出片４２を囲む円筒形状である。検出片保護壁４４の断面形状が円形状であるか多角形状であるかは設計的に変更可能な事項である。検出片４２は、図６に示すように、先細り形状とされていれば、より好ましい。先細り形状とは、すなわち先端４２ａに近づくに従い細くなる（断面形状が小さくなる）形状である。
【００３８】
先細り形状としては、例えば、円錐形状や多角錐形状が考えられるが、必ずしも先端４２ａが頂点である必要はなく、円錐台形状や多角錐台形状であってもよい。つまり、検出片４２の側面４２ｂがテーパ面（斜面）となっていればよい。それにより、万一ピアノ線等の不正具が検出片４２の側面４２ｂに到達した場合であっても、不正具が側面４２ｂに引っ掛かり難くなり、検出片４２に対する不正行為（例えば、不正な加工行為）が有効に防止される。
【００３９】
また、検出片４２が細い（すなわち、断面形状が小さい）と検出片４２に対する不正行為が行い難いことから、検出片４２を細く形成することが不正対策上有利である。例えば、検出片４２の断面径が、５ｍｍ以下であれば、有効な不正防止効果を得ることができる。なお、ここで、「断面」は、検出片４２の進退方向に直交する面内における断面を意味する。
【００４０】
当接部５１は、当接片５２を有している。当接片５２は、前枠９から後方に向けて突出するように配置されており、外枠４と前枠９との閉鎖状態（以下、単に閉鎖状態と言う場合がある。）において検出片４２を後方に（退避方向に）押し込むものである。当接片５２は、典型的には円柱形状であるが、検出片４２を確実に後方へ退避させることができればその形状は自由である。閉鎖状態において、当接片５２は、検出片保護壁４４で囲まれた凹空間４４ａ内部に挿入されるように検出片４２を押し込む。
【００４１】
当接部５１においては、当接片５２の周囲を囲むように当接片保護壁５３が立設されている。当接片保護壁５３は、検出片保護壁４４と同様に、外枠４と前枠９との隙間からピアノ線等の不正具を挿入して検出片４２にアクセスするのを防止するためのものである。当接片保護壁５３は、典型的には当接片５２を囲む円筒形状である。当接片保護壁５３の断面形状が円形状であるか多角形状であるかは設計的に変更可能な事項である。
【００４２】
検出片保護壁４４と当接片保護壁５３とは、入れ子状となっている。本実施の形態１においては、閉鎖状態において、検出片保護壁４４の外側を囲むような配置で当接片保護壁５３が立設されている。その結果、閉鎖状態において、検出片保護壁４４が当接片保護壁５３と当接片５２との間に形成される凹空間５３ａ内部に挿入される。したがって、外枠４と前枠９との隙間等から挿入されたピアノ線等の不正具が、検出片４２に到達するためには、図７に示すように、当接片保護壁５３と検出片保護壁４４と当接片５２とで構成されるクランク状の侵入通路５４を通過する必要があり、困難なものとされている。
【００４３】
なお、もちろん閉鎖状態において、検出片保護壁４４の外側を囲むような配置で当接片保護壁５３が立設されていることが好ましいが、当接片保護壁５３の外側を囲むような配置で検出片保護壁４４が立設されても構わない。また、当接片保護壁５３の更に外側に第２の検出片保護壁が立設されていてももちろんよく、検出片保護壁４４と当接片保護壁５３とが交互に入れ子状となるように複数立設すれば、一層不正防止効果が高まる。
【００４４】
また、外枠４と前枠９のいずれに開閉センサ部４１を設け、いずれに当接部５１を設けるかについても、設計的に変更可能な事項であり、いずれの場合も本願発明の要旨の範囲内である。
【００４５】
［実施の形態２］
図８は、本願における実施の形態２に係る開閉センサ部４１及び当接部５１の周囲を拡大して示す要部拡大図である。図８においては、開閉センサ部４１及び当接部５１を一部断面図として示している。この実施の形態２において、実施の形態１と同様の構成については、同様の符号を付し、その説明を省略する。
【００４６】
この当接部５１においては、当接片保護壁５３の先端部５３ｂに凸部５３ｃが突出形成されている。凸部５３ｃは、当接片保護壁５３の全周に亘って突出する凸壁であることが好ましいが、部分的に先端部５３ｂから突出するものであっても構わない。
【００４７】
開閉センサ部４１においては、閉鎖状態において当接片保護壁５３の先端部５３ｂに対向する対向面４１ａが形成されている。この対向面４１ａに凹部４１ｂが形成されており、閉鎖状態において、先端部５３ｂの凸部５３ｃが凹部４１ｂに挿入されるようになっている。この凸部５３ｃの凹部４１ｂへの挿入により、この部分においても侵入通路５４がクランク状となる（クランク数が増加する。）。したがって、閉鎖状態における外部からの不正具の侵入がより一層困難となる。
【００４８】
開閉センサ部４１においては、検出片保護壁４４の先端部４４ｂに第２凸部４４ｃが突出形成されている。第２凸部４４ｃは、検出片保護壁４４の全周に亘って突出する凸壁であることが好ましいが、部分的に先端部４４ｂから突出するものであっても構わない。
【００４９】
当接部５１においては、閉鎖状態において検出片保護壁４４の先端部４４ｂに対向する対向面５１ａが形成されている。この対向面５１ａに第２凹部５１ｂが形成されており、閉鎖状態において、先端部４４ｂの第２凸部４４ｃが第２凹部５１ｂに挿入されるようになっている。この第２凸部４４ｃの第２凹部５１ｂへの挿入により、この部分においても侵入通路５４がクランク状となる（クランク数が増加する。）。したがって、閉鎖状態における外部からの不正具の侵入がより一層困難となる。
【００５０】
もちろん、検出片保護壁４４や当接片保護壁５３の先端部と対向面とのいずれに凸部を形成し、いずれに凹部を形成するかについては、設計的に変更可能な事項である。また、必ずしも検出片保護壁４４と当接片保護壁５３との両方に凸部を形成する必要はなく、いずれか一方に凸部を形成するだけでも、高い不正防止効果を発揮する。
【００５１】
［実施の形態３］
図９は、本願における実施の形態３に係る開閉センサ部４１及び当接部５１の周囲を拡大して示す要部拡大図である。図９においては、開閉センサ部４１及び当接部５１を一部断面図として示している。この実施の形態３において、実施の形態１と同様の構成については、同様の符号を付し、その説明を省略する。
【００５２】
この実施の形態３においては、当接部５１における凹空間５３ａ内の、例えば対向面５１ａに、補助開閉センサ５５が配置されている。補助開閉センサ５５自体の構成は、開閉センサ４３と略同様であってよい。補助開閉センサ５５は、検出片４２と略同様の構成を有する検出片５６を有しており、この検出片５６の後方への進出により開放状態を示すオフ信号を出力し、前方への退避により閉鎖状態を示すオン信号を出力する。
【００５３】
検出片５６は、開閉センサ部４１側の検出片保護壁４４に対応する位置に配置され、開放状態で検出片５６が後方への進出状態となり、閉鎖状態で検出片保護壁４４が検出片５６を前方へと押し込むことにより退避状態となるようになっている。
【００５４】
開閉センサ４３と補助開閉センサ５５とは、例えば、主制御基板に接続されており、開閉センサ４３の出力と補助開閉センサ５５の出力とが主制御基板において論理演算されるようになっている。そして、開閉センサ４３の出力と補助開閉センサ５５の出力とが、両方ともに閉鎖状態を示す場合にのみ、主制御基板は、外枠４と前枠９との閉鎖状態を判断し、開閉センサ４３の出力と補助開閉センサ５５の出力の少なくともいずれか一方でも開放状態を示す場合には、主制御基板は、外枠４と前枠９との開放状態を判断する。これにより、不正行為による遊技機枠３の開放を一層困難とすることができる。
【００５５】
［実施の形態４］
図１０は、本願における実施の形態４に係る開閉センサ部４１及び当接部５１の周囲を拡大して示す要部拡大図である。図１０においては、開閉センサ部４１及び当接部５１を一部断面図として示している。この実施の形態４において、実施の形態１と同様の構成については、同様の符号を付し、その説明を省略する。
【００５６】
前枠９は、外枠４とヒンジ２２で軸支されており、開閉の際にヒンジ２２を中心として、揺動運動（円運動）を行う。そのため、開閉センサ部４１に対する当接部５１の移動軌跡Ｓは、図１０に破線で示すように円弧状となる。検出片保護壁４４と当接片５２や当接片保護壁５３との干渉を防止するために、種々の工夫を適用することができる。例えば、左右方向において、当接片５２を当接片保護壁５３の中心から右側端Ｒ側にずれた位置に配置することにより、開閉動作に伴う当接片５２と検出片保護壁４４との干渉を防止することができる。また、検出片保護壁４４と当接片保護壁５３との隙間を広くとること、特に、左側端Ｌ寄りにおける検出片保護壁４４と当接片保護壁５３との隙間Ｇを広くとることは干渉防止の観点から有効である。
【００５７】
また、例えば、検出片４２と当接片５２、検出片保護壁４４と当接片保護壁５３を、前枠９の開閉動作に伴う移動軌跡に沿った方向に延びるように配置することも有効である。すなわち、検出片４２や検出片保護壁４４を、前方に進むに従い若干左側端Ｌ側に傾くように配置したり、当接片５２や当接片保護壁５３を、後方に進むに従い若干右側端Ｒ側に傾くように配置することで、高い干渉防止効果を得ることができる。
【００５８】
［実施の形態５］
図１１〜図１４を用いて、実施の形態５について説明する。なお、本実施の形態５においても実施の形態１と同様の構成については同様の符号を付し、その説明を省略する。図１１は、実施の形態５に係る遊技機枠６３を備えた遊技機としてのパチスロ機６２の正面図である。図１２は、パチスロ機６２の外観斜視図である。図１３は、パチスロ機６２の遊技機枠６３を開放状態とした場合を示す図であり、図１４は、その状態における要部を拡大した要部拡大図であって、（ａ）は外枠６４の右側端Ｒ近傍を示し、（ｂ）は前枠６９の右側端Ｒ近傍を示している。
【００５９】
パチスロ機６２は、遊技装置体としてのリール（回胴装置）６６を有しており、そのリール６６が外枠（遊技機枠の一部、後方枠体）６４、前枠（遊技機枠の一部、前方枠体）６９とによって内包されるように内部に保持されている。遊技者が、パチスロ機６２の前方に配置されたメダル投入口７０にメダル（遊技媒体）を投入し、ＢＥＴボタン７１を押した後にスタートレバー７２を押下操作すると、リール６６が回転する。その後にストップボタン７３を押すことによりリール６６が停止して、その停止図柄の組合せによって遊技者への利益付与の有無が決定される。このように、パチスロ機６２はメダルを用いた遊技を実現しており、その遊技においてリール６６が回転・停止することにより、停止図柄の組合せに基づく遊技者への興趣向上が図られている。
【００６０】
パチスロ機６２においても、外枠６４と前枠６９とがその左側端近傍においてヒンジ７６において軸支され、右側端近傍において、外枠６４に対して前枠６９が前方に揺動開閉可能とされている。図１３及び図１４に示すように、外枠６４の右側端Ｒ近傍には、開閉センサ部４１が配置され、前枠６９の右側端Ｒ近傍、すなわちサイドレンズ７４の裏面側（後方）には、当接部５１が配置されている。
【００６１】
この開閉センサ部４１と当接部５１とには、上記実施の形態１〜４において説明した開閉センサ部４１及び当接部５１を適用することができる。すなわち、開閉センサ部４１の検出片４２は検出片保護壁４４によって周囲が囲まれており、当接部５１の当接片５２は当接片保護壁５３によって周囲が囲まれている。
【００６２】
外枠６４と前枠６９とが不正にこじ開けられると、遊技機枠６３内部のリール６６や払出前のメダルを貯留しているメダルホッパー７５や各種制御基板に不正にアクセスされてしまい、遊技者に不正の利益を獲得されてしまうおそれがある。その場合において、開閉センサ部４１に対して不正行為が行われていると、不正開放を検出することができず、遊技者による不正な利益獲得を充分に防止できない場合がある。
【００６３】
しかしながら、この実施の形態５に係るパチスロ機６２は、遊技機枠６３が上記実施の形態１〜４にて説明したような開閉センサ部４１及び当接部５１を有しているので、開閉センサ部４１に対する不正行為が充分に防止される。遊技機枠６３が不正に開放された状態であるにも拘わらず、「遊技機枠６３の開放状態を検出できない」という事態を防止することができる。結果的に、遊技機枠６３の不正な開放を防止し、遊技者による不正利益獲得を防止することができる。
【００６４】
以上、本発明の好ましい実施の形態を説明したが、本発明はこれらに限定されるものではなく、その要旨の範囲内で様々な変形や変更が可能である。
【符号の説明】
【００６５】
Ｇ：隙間
Ｌ：左側端（一側端）
Ｒ：右側端（他側端）
Ｓ：移動軌跡
２：パチンコ機（遊技機）
３：遊技機枠
４：外枠（遊技機枠の一部、後方枠体）
５：遊技盤ユニット
６：遊技盤（遊技装置体）
６ａ：遊技盤面
７：センター役物
７ａ：演出表示装置
７ｂ：表示部
７ｃ：表示図柄
７ｄ：表示開口部
９：前枠（遊技機枠の一部、前方枠体）
１０：ガラス
１２：ガラス枠（遊技機枠の一部）
１４：球皿（貯留皿）
１４ａ：上球皿
１４ｂ：下球皿
１４ｃ：球抜き部材
１５：発射装置ハンドル
１６：遊技領域
１７：第１図柄（特別図柄）表示装置
２２：ヒンジ（軸支部）
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３５：主制御基板ケース
３６：演出制御基板ケース
３７：払出制御基板ケース
３８：電源基板ケース
３９：外部出力端子板
４１：開閉センサ部（遊技機枠の一部）
４１ａ：対向面
４１ｂ：凹部
４２：検出片
４２ａ：先端
４２ｂ：側面
４３：開閉センサ
４４：検出片保護壁
４４ａ：凹空間
４４ｂ：先端部
４４ｃ：第２凸部
５１：当接部（遊技機枠の一部）
５１ａ：対向面
５１ｂ：第２凹部
５２：当接片
５３：当接片保護壁
５３ａ：凹空間
５３ｂ：先端部
５３ｃ：凸部
５４：侵入通路
５５：補助開閉センサ
５６：検出片
６２：パチスロ機（遊技機）
６３：遊技機枠
６４：外枠（遊技機枠の一部、後方枠体）
６６：リール（回胴装置、遊技装置体）
６９：前枠（遊技機枠の一部、前方枠体）
７０：メダル投入口
７１：ＢＥＴボタン
７２：スタートレバー
７３：ストップボタン
７４：サイドレンズ
７５：メダルホッパー
７６：ヒンジ
【図１】
0005574437.tif 000002
【図２】
0005574437.tif 000003
【図３】
0005574437.tif 000004
【図４】
0005574437.tif 000005
【図５】
0005574437.tif 000006
【図６】
0005574437.tif 000007
【図７】
0005574437.tif 000008
【図８】
0005574437.tif 000009
【図９】
0005574437.tif 000010
【図１０】
0005574437.tif 000011
【図１１】
0005574437.tif 000012
【図１２】
0005574437.tif 000013
【図１３】
0005574437.tif 000014
【図１４】
0005574437.tif 000015